(57)【要約】      （修正有）【課題】ティッシュが少なくなってきたときに、ティッシュ押し上げ蓋を上に押し上げて、ティッシュを取り易くし、ティッシュの高さを調整のできる詰め替え用ポケットティッシュ・ストッカーを提供する。【解決手段】アクリル樹脂材のポケットティッシュ・ストッカー本体Ａに、ポケットティッシュ取り出し口Ｂ及び、指差しこみ穴Ｅを設置し、ポケットティッシュ・ストッカー本体Ａに、アクリル樹脂材のティッシュ押し上げ蓋Ｃを差し込み一体として、押し上げ蓋指挿入穴Ｄを設け、ティッシュ押し上げ蓋Ｃを上下に移動する為の、ボルトガイドレールＨを、ポケットティッシュ・ストッカー本体Ａの短辺方向側面に設け、ティッシュ押し上げ蓋Ｃを上下移動し、ポケットティッシュ・ストッカー本体Ａとティッシュ押し上げ蓋Ｃを固定するポリカーボネート樹脂材のボルトＩを設置し、高さ調整のできる詰め替え用ポケットティッシュ・ストッカーとした。【選択図】図６
2011057285.tif 000002
【特許請求の範囲】
【請求項１】
ポケットティッシュ・ストッカー本体（Ａ）に、ポケットティッシュ取り出し口（Ｂ）及び、指差しこみ穴（Ｅ）を設置し、ポケットティッシュ・ストッカー本体（Ａ）に、ティッシュ押し上げ蓋（Ｃ）を差し込み一体として、押し込み蓋抜き取り用の指差しこみ穴（Ｄ）を設け、ティッシュ押し上げ蓋（Ｃ）を上下に移動する為の、ポルトガイドレール（Ｈ）を、ポケットティッシュ・ストッカー本体（Ａ）の短辺方向側面に設け、ティッシュ押し上げ蓋（Ｃ）を上下移動し、ポケットティッシュ・ストッカー本体（Ａ）とティッシュ押し上げ蓋（Ｃ）を固定するボルト（※ポリカーボネート材質）を設置した、高さ調整のできる詰め替え用ポケットティッシュ・ストッカーである。
【発明の詳細な説明】
【技術分野】
【０００１】  この発明は、ポケットティッシュ・ストッカー本体（Ａ）（※以下材質はアクリル樹脂材である）に、ポケットティッシュ取り出し口（Ｂ）及び、指挿入穴（Ｅ）を左右２箇所設置し、ティッシュ押し上げ蓋（Ｃ）を上げ下げする場合の、ボルトをスライドする為の、ポルトスライドレール溝（Ｈ）を設置し、ポケットティッシュ・ストッカー本体（Ａ）に、ティッシュ押し上げ蓋（Ｃ）を差し込み、ティッシュ押し上げ蓋（Ｃ）とポケットティッシュ・ストッカー本体（Ａ）をポルト、ワッシャー、ナット（Ｉ）、（Ｊ）、（Ｋ）（※ボルトの材質はポリカーポネート樹脂材）にて固定し、一体とし、ポルト（Ｉ）を緩めると、ティッシュ押し上げ蓋（Ｃ）が上下にスライドする仕組みであり、ポルト（Ｉ）を締めると、ティッシュ押し上げ蓋（Ｃ）が固定され、ティッシュが取り易い位置で固定される仕組みである。ナット（Ｋ）は、ポケットティッシュ・ストッカー本体（Ａ）に開けてあるナット埋め込み接着穴（Ｆ）にボンドで接着固定されている為ポルト（Ｉ）を回しても、ナット（Ｋ）は動かない構造である。ティッシュ押し込み蓋（Ｃ）には、ティッシュ押し込み蓋（Ｃ）を抜き取るための、指差しこみ穴（Ｄ）を設けてあるが、これは、ティッシュが少なくなってきた場合、指を指差しこみ穴（Ｄ）に入れてティッシュを上に押し上げる構造にもなっている。ティッシュが少なくなって、ティッシュを補充する場合、ポルト（Ｉ）を緩めて、ティッシュ押し込み蓋（Ｃ）をポケットティッシュ・ストッカー本体（Ａ）から抜き取り、新たなティッシュを詰め替え補充し、再びポケットティッシュ・ストッカー本体（Ａ）にティッシュ押し込み蓋（Ｃ）を差し込み、ポルト、ワッシャー、ナット（Ｉ）、（Ｊ）、（Ｋ）を締めて、再び利用する構造である。高さ調整のできる詰め替え用ポケットティッシュ・ストッカーである。
【背景技術】
【０００２】  従来のポケットティッシュボックスは、ティッシュが少なくなると取り出すのに指を奥に入れて出さないとティッシュが出せなかった。その為、今までは、ティッシュの量や箱の厚みが限定されていた。又、使われていないポケットティッシュをまとめてストックする為のポケットティッシュ・ストッカーが無かった。
【発明の開示】
【発明が解決しようとする課題】
【０００３】これは、次のような、欠点があった。
（１）ティッシュが少なくなると、指を奥まで入れないと、取り出せなかった。
（２）ティッシュが取り出し難くなる為、ポケットティッシュの容量を大きくすることが出来ず、十分にポケットティッシュをストックすることが出来なかった。
（３）ティッシュの側面に指差しこみ穴が開いていなかったので、ポケットティッシュの箱が持ち難かった。
（４）ストックされているティッシュの高さが調整できなかった。
【課題を解決するための手段】
【０００４】この発明は、ポケットティッシュ・ストッカー本体（Ａ）（※以下材質はアクリル樹脂材である）に、ポケットティッシュ取り出し口（Ｂ）及び、指挿入穴（Ｅ）を左右２箇所設置し、ティッシュ押し上げ蓋（Ｃ）を上げ下げする場合の、ボルトをスライド為の、ポルトスライドレール溝（Ｈ）を設置し、ポケットティッシュ・ストッカー本体（Ａ）に、ティッシュ押し上げ蓋（Ｃ）を差し込み、ティッシュ押し上げ蓋（Ｃ）とポケットティッシュ・ストッカー本体（Ａ）をポルト、ワッシャー、ナット（Ｉ）、（Ｊ）、（Ｋ）（※ボルトの材質はポリカーポネート樹脂材）にて固定し、一体とし、ポルト（Ｉ）を緩めると、ティッシュ押し上げ蓋（Ｃ）が上下にスライドする仕組みであり、ポルト（Ｉ）を締めると、ティッシュ押し上げ蓋（Ｃ）が固定され、ティッシュが取り易い位置で固定される仕組みである。ナット（Ｋ）は、ポケットティッシュ・ストッカー本体（Ａ）に開けてあるナット埋め込み接着穴（Ｆ）にボンドで接着固定されている為ポルト（Ｉ）を回しても、ナット（Ｋ）は動かない構造であり、ティッシュ押し込み蓋（Ｃ）には、ティッシュ押し込み蓋（Ｃ）を抜き取るための、指差しこみ穴（Ｄ）を設けてあるが、これは、ティッシュが少なくなってきた場合、指を指差しこみ穴（Ｄ）に入れてティッシュを上に押し上げる構造にもなっている。ティッシュが少なくなって、ティッシュを補充する場合、ポルト（Ｉ）を緩めて、ティッシュ押し込み蓋（Ｃ）をポケットティッシュ・ストッカー本体（Ａ）から抜き取り、新たなティッシュを詰め替え補充し、再びポケットティッシュ・ストッカー本体（Ａ）にティッシュ押し込み蓋（Ｃ）を差し込みポルト、ワッシャー、ナット（Ｉ）、（Ｊ）、（Ｋ）を締めて、再び利用する構造である。高さ調整のできる詰め替え用ポケットティッシュ・ストッカーである。本発明は、以上の構成による高さ調整の出来る詰め替え用ポケットティッシュ・ストッカーである
【発明の効果】
【０００５】  ティッシュが少なくなってきたとき、ティッシュ押し込み蓋（Ｃ）の底を押し上げるか、又は、ポケットティッシュ・ストッカー本体（Ａ）の横に（左右２箇所）開いている、指挿入穴（Ｅ）に指を挿入し、ティッシュ押し込み蓋（Ｃ）を、ティッシュ取り出し口（Ｂ）付近まで押し上げ、ティッシュを取り易くし、少なくなっていたティッシュ全体が、上に押し上げられ、ティッシュが取り易い状態になる。又、ポケットティッシュ・ストッカー本体（Ａ）の横に開いているポルトスライドレール溝（Ｈ）とティッシュ押し込み蓋（Ｃ）に設置してあるポルト（※ポリカーボネート樹脂材）を締めればティッシュが取り易い位置で固定され、ティッシュが取り易い状態になる。又、ポケットティッシュ・ストッカー本体（Ａ）の側面に指挿入穴（Ｅ）が開いているのでポケットティッシュ・ストッカー本体（Ａ）自体、持ちやすくなる特性がある。詰め替え用なので何回でも繰り返し利用することができ、使われていないポケットティッシュなど十分にストックしておくことが出来る。
【発明を実施するための最良の形態】
【０００６】  以下、本発明を実施する為の、最良の形態について説明する。
ポケットティッシュ・ストッカー本体（Ａ）（※以下材質はアクリル樹脂材である）に、ポケットティッシュ取り出し口（Ｂ）及び、指挿入穴（Ｅ）を左右２箇所設置し、ティッシュ押し上げ蓋（Ｃ）を上げ下げする場合の、ボルトをスライドする為の、ポルトスライドレール溝（Ｈ）を設置し、ポケットティッシュ・ストッカー本体（Ａ）に、ティッシュ押し上げ蓋（Ｃ）を差し込み、ティッシュ押し上げ蓋（Ｃ）とポケットティッシュ・ストッカー本体（Ａ）をポリカーポネート樹脂材ポルト、ワッシャー、ナット（Ｉ）（Ｊ）、（Ｋ）（※ボルトの材質はポリカーポネート樹脂材）にて固定し、一体とし、ポルト（Ｉ）を緩めると、ティッシュ押し上げ蓋（Ｃ）が上下にスライドする仕組みであり、ポルト（Ｉ）を締めると、ティッシュ押し上げ蓋（Ｃ）が固定され、ティッシュが取り易い位置で固定される仕組みである。ナット（Ｋ）は、ポケットティッシュ・ストッカー本体（Ａ）に開けてあるナット埋め込み接着穴（Ｆ）にボンドで接着固定されている為ポルト（Ｉ）を回しても、ナット（Ｋ）は動かない構造である。ティッシュ押し込み蓋（Ｃ）には、ティッシュ押し込み蓋（Ｃ）を抜き取るための、指差しこみ穴（Ｄ）を設けてあるが、これは、ティッシュが少なくなってきた場合、指を指差しこみ穴（Ｄ）に入れてティッシュを上に押し上げる構造にもなっている。ティッシュが少なくなって、ティッシュを補充する場合、ポルト（Ｉ）を緩めて、ティッシュ押し込み蓋（Ｃ）をポケットティッシュ・ストッカー本体（Ａ）から抜き取り、新たなティッシュを詰め替え補充し、再びポケットティッシュ・ストッカー本体（Ａ）にティッシュ押し込み蓋（Ｃ）を差し込みポルト、ワッシャー、ナット（Ｉ）、（Ｊ）、（Ｋ）を締めて、再び利用する構造である。高さ調整のできる詰め替え用ポケットティッシュ・ストッカーである。
【図面の簡単な説明】
【０００７】
【図１】ポケットティッシュ・ストッカー全体断面図
【図２】ポケットティッシュ・ストッカー上部平面図
【図３】ポケットティッシュ・ストッカー長辺方向断面図
【図４】ポケットティッシュ・ストッカー短辺方向断面図
【図５】ポケットティッシュ・ストッカー押し上げ蓋断面図
【図６】ポケットティッシュ・ストッカー透視鳥瞰図
【符号の説明】
【０００８】［Ａ］ポケットティッシュ・ストッカー本体（※アクリル樹脂製）
［Ｂ］ポケットティッシュ取り出し口
［Ｃ］ティッシュ押し込み蓋
［Ｄ］ティッシュ押し上げ蓋指挿入穴
［Ｅ］ポケットティッシュ・ストッカー本体指挿入穴
［Ｆ］ナット埋め込み接着穴
［Ｇ］ボルト挿入穴
［Ｈ］ボルトスライドレール穴
［Ｉ］ボルト（ポリカーボネート樹脂製）
［Ｊ］ワッシャー（ポリカーボネート樹脂製）
［Ｋ］ナット（ポリカーボネート樹脂製）
【図１】
2011057285.tif 000003
【図２】
2011057285.tif 000004
【図３】
2011057285.tif 000005
【図４】
2011057285.tif 000006
【図５】
2011057285.tif 000007
【図６】
2011057285.tif 000008